(57)【要約】【課題】簡易な構成で多機能の役割を担うスモーカー兼用バーベキューコンロを提供する。【解決手段】矩形枠状に上方開口部１０ａを有する筐体１０と、筐体１０に載置された火格子部材１１と、筐体１０の上方開口部１０ａを覆うように載置された網板１５ａ、１５ｂと、筐体１０内を所定の大きさに仕切る仕切壁体１２を備えた仕切り部材１３と、仕切り部材１３を閉塞するスモーク用の蓋体１６と、を備え、仕切り部材１３を火格子部材１１と網板１５ａ、１５ｂとの間に配置することを特徴とする。【選択図】  図１
0003199854.tif 000002
【実用新案登録請求の範囲】
【請求項１】
矩形枠状に上方開口部を有する筐体と、
前記筐体に載置された火格子部材と、
前記筐体の前記上方開口部を覆うように載置された網板と、
前記筐体内を所定の大きさに仕切る仕切壁体を備えた仕切り部材と、
前記仕切り部材を閉塞するスモーク用の蓋体と、を備え、
前記仕切り部材を前記火格子部材と前記網板との間に配置することを特徴とするスモーカー兼用バーベキューコンロ。
【請求項２】
前記仕切り部材は、前記仕切壁体に着脱可能に形成されていることを特徴とする請求項１に記載のスモーカー兼用バーベキューコンロ。
【請求項３】
前記仕切壁体は、略Ｌ字形状を有し、前記仕切り部材に係合することにより前記筐体内に起立して設置されることを特徴とする請求項１に記載のスモーカー兼用バーベキューコンロ。
【請求項４】
前記火格子部材は、所定の大きさに分離されていることを特徴とする請求項１に記載のスモーカー兼用バーベキューコンロ。
【考案の詳細な説明】
【技術分野】
【０００１】
本考案は、スモーカー兼用バーベキューコンロに関する。
【背景技術】
【０００２】
従来、アウトドア用のバーベキューコンロは、基本的に、コンロの内部に炭や薪などの燃料を収納し得るコンロ本体の上方開口部に焼き網を載置して調理を行うようになっている。
【０００３】
近年、アウトドア活動が活発になり、バーベキューコンロの構造は様々な工夫がなされている。例えば、特許文献１に、着火，消火や後始末のためのコンロの取付け取出しが容易で、コンロ収容筺体の高熱化を予防することができ、しかも着火剤の洩出し等を防止し得、さらに木炭燃料の無駄なく少量のバーベキュー料理を楽しむことのできるアウトドア用のバーベキューコンロが提案されている。
【０００４】
特許文献１によれば、上面開放形にて形成するコンロ収容筺体の上側四周に吊受用の枠面を段落形成し、提手付のコンロの上端外周に該吊受用の枠面上に掛吊りする吊入用の枠面を設けて、提手付のコンロを収容筺体内に出し入れ自在に吊り取付ける構造のアウトドア用のバーベキューコンロを提供することができる。
【０００５】
特許文献１に開示されたバーベキューコンロの構造によれば、さらに、コンロ内を適宜の大きさに区切る取外し自在の仕切板を設けることにより、コンロ内を小型に調整して木炭の量を少なくすることが可能になり、少人数の場合などに行われるバーベキューを燃料の無駄なく楽しむことができる。
【０００６】
ところで、近年のアウトドア活動において、煮炊きのほか、燻製器等の機能を有する機器も多く利用されている。しかしながら、アウトドア活動で機能ごとの機器を全て用意するのは、コストも要するうえ持ち運びが容易ではない。このため、簡易な構成で多機能の役割を担うスモーカー兼用バーベキューコンロの出現が期待されていた。
【先行技術文献】
【特許文献】
【０００７】
【特許文献１】実用新案登録第３０９３１４５号公報
【考案の概要】
【考案が解決しようとする課題】
【０００８】
そこで、本考案では、上記のような課題に鑑み、簡易な構成で多機能の役割を担うスモーカー兼用バーベキューコンロを提供することを目的とする。
【課題を解決するための手段】
【０００９】
本考案は、以下の構成によって把握される。
矩形枠状に上方開口部を有する筐体と、前記筐体に載置された火格子部材と、前記筐体の前記上方開口部を覆うように載置された網板と、前記筐体内を所定の大きさに仕切る仕切壁体を備えた仕切り部材と、前記仕切り部材を閉塞するスモーク用の蓋体と、を備え、前記仕切り部材を前記火格子部材と前記網板との間に配置することを特徴とする。
【００１０】
また、前記仕切り部材は、前記仕切壁体に着脱可能に形成されていることを特徴とする。
【００１１】
また、前記仕切壁体は、略Ｌ字形状を有し、前記仕切り部材に係合することにより前記筐体内に起立して設置されることを特徴とする。
【００１２】
また、前記火格子部材は、所定の大きさに分離されていることを特徴とする。
【考案の効果】
【００１３】
本考案によれば、簡易な構成でスモーカー機能等を同時に行うことが可能なスモーカー兼用バーベキューコンロを提供することができる。
【図面の簡単な説明】
【００１４】
【図１】本考案の第１実施形態に係るスモーカー兼用バーベキューコンロを示す分解斜視図である。
【図２】本考案の第１実施形態に係るスモーカー兼用バーベキューコンロを示す斜視図である。
【図３】本考案の第２実施形態に係るスモーカー兼用バーベキューコンロの組み立て例を示した図である。
【考案を実施するための形態】
【００１５】
以下、添付図面を参照して、本考案を実施するための形態（以下、「実施形態」と称する）について詳細に説明する。実施形態の説明の全体を通して同じ要素には同じ番号を付している。
【００１６】
（第１実施形態）
まず、第１実施形態に係るスモーカー兼用バーベキューコンロの構成を図１及び図２に基づいて説明する。
【００１７】
図１に示すように、第１実施形態に係るスモーカー兼用バーベキューコンロ１は、筐体１０と、火格子部材１１と、網板１５ａ、１５ｂと、仕切り部材１３と、蓋体１６と、から構成される。
【００１８】
筐体１０は、図１に図示され、矩形枠状の上方開口部１０ａを有し、内側の周囲壁１０ｂに対向する面に段差（受部５０ａ、５０ｂ）を有し、火格子部材１１は、略平面形状を有し、受部５０ａに載置される。
【００１９】
筐体１０は、周囲壁１０ｂ及び底部に複数の空気孔４０を形成される。また、筐体１０は、着脱可能で該筐体１０を所定の高さで保持する４本の脚部２０を有し、スモーカー兼用バーベキューコンロ１の持ち運びをし易いように、筐体１０には、取手３０が着脱可能に取り付けられる。
【００２０】
網板１５ａ、１５ｂは、筐体１０の上方開口部１０ａを覆うように載置される。
【００２１】
仕切り部材１３は、筐体１０内を所定の大きさに仕切る仕切壁体１２を備え、火格子部材１１と網板１５ａ、１５ｂの間に配置される。
【００２２】
仕切壁体１２は、略Ｌ字形状に形成され、仕切り部材に係合することにより筐体１０内に起立して設置される。なお、仕切壁体１２は、略Ｌ字形状が好ましいが、これに限定することはなく筐体１０内を仕切る形状であればよい。
【００２３】
更に、仕切壁体１２には、着脱可能な仕切り部材１３が装着され、仕切り部材１３にスモークチップを載置する。仕切り部材１３は、受け部材であればよく、例えば、トレー形状、容器形状であってもよい。なお、仕切り部材１３と仕切壁体１２の着脱方法については、特に限定はせずに、例えば、互いを嵌合していてもよいし、一体型であってもよい。そして、仕切り部材１３の上面側に仕切り部材１３と略同幅を有する着脱可能な網板１４を設置する。
【００２４】
そして、筐体１０の上方開口部１０ａを覆うように網板１５ａ、１５ｂを受部５０ｂに載置し、仕切壁体１２によって所定の大きさに仕切られた筐体１０内の一方側の網板１５ｂの上面から仕切り部材１３を閉塞するスモーク用の蓋体１６を載置する。このようにすることで、火格子部材１１に載置された炭の熱によって仕切り部材１３内のスモークチップが暖められ煙が出る。そして、スモーク用の蓋体１６によって密閉された空間に煙が充満し食材がスモークされる。また、他方側には別途直接炭で食材を焼くことが可能であり、簡易な構成で多機能の役割を担うスモーカー兼用バーベキューコンロ１を提供できる。
【００２５】
（第２実施形態）
次に、第２実施形態に係るスモーカー兼用バーベキューコンロの構成を図３に基づいて説明する。第２実施形態では、仕切り部材１３を用いずにスモーカー兼用バーベキューコンロ１を提供する。
【００２６】
図３に示すように、第２実施形態に係るスモーカー兼用バーベキューコンロ１は、筐体１０と、火格子部材１１ａ、１１ｂと、網板１５ａ，１５ｂと、仕切壁体１２と、蓋体１６と、から構成されている。
【００２７】
筐体１０は、矩形枠状の上方開口部１０ａを有し、内側の周囲壁１０ｂに対向する面に段差（受部５０ａ、５０ｂ）を有し、火格子部材１１ａ、１１ｂは、略平面形状を有し、受部５０ａに載置される。
【００２８】
火格子部材１１a、１１ｂは、所定の大きさに分離されており、直接炭で食材を焼く場合は、筐体１０内に分離された火格子部材１１ａ、１１ｂを受部５０ａに載置し、筐体１０の上方開口部１０ａを覆うように網板１５ａ，１５ｂを受部５０ｂに載置する。なお、片方をスモーク用とする場合、筐体１０内を仕切る仕切壁体１２を接合する。接合方法としては、例えば、図示省略するが筐体１０の仕切る位置に切り欠きを設け、仕切壁体１２の舌片部に嵌め込むことで、接合される。
【００２９】
次に、仕切壁体１２によって仕切られた一方側に火格子部材１１ａを筐体１０の上方開口部１０ａ内の受部５０ａに載置し、その受部５０ａよりも上方に位置する受部５０ｂに網板１５ａを載置し、他方側には火格子部材１１ｂを載置しないようにする。
【００３０】
そして、他方側の上方開口部１０ａ内に形成されている受部５０ｂの上面に網板１５ｂを載置する。次に、網板１５ｂの上面からスモーク用の蓋体１６を載置して密閉する。
【００３１】
第２実施形態に係るスモーカー兼用バーベキューコンロによれば、予め暖められたスモークチップを筐体１０内のスモーク用側の底部に敷くことで、スモーク用の蓋体１６によって密閉された空間に煙が充満し食材がスモークされ、また、他方側には別途直接炭で食材を焼くことが可能であり、簡易な構成で多機能の役割を担うスモーカー兼用バーベキューコンロ１を提供できる。特に、火格子部材１１ａ、１１ｂは、所定の大きさに分離することで、使用する火格子部材１１ａ、１１ｂの大きさを節約でき、また、その分だけ実装面積が少なくなることから、製造コストの廉価化が可能になる。
【００３２】
なお、第１実施形態及び第２実施形態では、筐体の内側の周囲壁の段差を受部として説明したが、これに限定することはなく、火格子部材、仕切壁体、仕切部材、網板、蓋体が載置される構成であればよく、例えば、筐体の内側の周囲壁に対向する面に突起状に形成した受部を形成し、その受部に各部品を載置してもよい。また、各部品が自立して載置できる形状の場合は、受部は設けなくともよい。
【００３３】
以上、実施形態を用いて本考案を説明したが、本考案の技術的範囲は上記実施形態に記載の範囲には限定されないことは言うまでもない。上記実施形態に、多様な変更又は改良を加えることが可能であることが当業者に明らかである。またその様な変更又は改良を加えた形態も本考案の技術的範囲に含まれ得ることが、実用新案登録請求の範囲の記載から明らかである。
【符号の説明】
【００３４】
１      スモーカー兼用バーベキューコンロ
１０    筐体
１０ａ  上方開口部
１０ｂ  周囲壁
１１、１１ａ、１１ｂ    火格子部材
１２    仕切壁体
１３    仕切り部材
１４    網板
１５ａ、１５ｂ網板
１６    蓋体
２０    脚部
３０    取手
４０    空気孔
５０ａ、５０ｂ    受部
【図１】
0003199854.tif 000003
【図２】
0003199854.tif 000004
【図３】
0003199854.tif 000005